(57)【要約】【課題】  １つの機器に対してオートパワーオフの設定を行うと、設定が行われた機器に接続された別の機器に対しても自動的にオートパワーオフの設定を行うことができる電子機器および省電力設定方法を提供する。【解決手段】  テレビジョン１２がリモートコントロールユニット１２ａによって受信したオートパワーオフの設定をネットワークに送出し、オートパワーオフの設定をネットワークを介して受信した機器が受信したオートパワーオフの設定に基づいて省電力設定を行う。【選択図】      図１
2009157840.tif 000002
【特許請求の範囲】
【請求項１】
ネットワークに接続する接続部と、
前記ネットワークに接続された機器を省電力設定とする設定情報を受信する受信部と、
前記受信部により受信された設定情報を前記接続部を介して前記ネットワークに送出する送出部と、
前記ネットワークに接続された機器から前記ネットワークを介して設定情報を受信した場合、受信した設定情報に基づいて省電力設定を行う設定部と、
を具備することを特徴とする電子機器。
【請求項２】
請求項１に記載の電子機器において、
前記設定情報を表示する表示部をさらに備え、
前記設定部は、前記設定情報に基づいてオートパワーオフの設定を行うと、前記表示部に設定された設定情報の表示を行うことを特徴とする情報処理装置。
【請求項３】
請求項１に記載の電子機器において、
前記設定情報を表示する表示部をさらに備え、
前記設定部は、前記設定情報に基づいて前記表示部の輝度を低くする設定を行うことを特徴とする情報処理装置。
【請求項４】
請求項１に記載の電子機器において、
前記設定部は、前記省電力設定より優先する設定がある場合は、前記省電力設定に換えて前記優先する設定を行うことを特徴とする情報処理装置。
【請求項５】
請求項１に記載の電子機器において、
前記設定部は、前記省電力設定を複数受信した場合は、最後に受信した省電力設定を行うことを特徴とする情報処理装置。
【請求項６】
ネットワークに接続する接続部を備えた電子機器で用いられる省電力設定方法であって、
前記ネットワークに接続された機器を省電力設定とする設定情報を生成し、
前記生成された設定情報を前記接続部を介して前記ネットワークに送出し、
前記ネットワークに接続された機器から前記ネットワークを介して設定情報を受信した場合、受信した設定情報に基づいて省電力設定を行うことを特徴とする省電力設定方法。
【請求項７】
請求項６に記載の省電力設定方法において、
前記設定情報を表示する表示部をさらに備え、
前記省電力設定は、前記設定情報に基づいてオートパワーオフの設定を行うと、前記表示部に設定された設定情報の表示を行うことを特徴とする省電力設定方法。
【請求項８】
請求項６に記載の省電力設定方法において、
前記設定情報を表示する表示部をさらに備え、
前記省電力設定は、前記設定情報に基づいて前記表示部の輝度を低くする設定を行うことを特徴とする省電力設定方法。
【請求項９】
請求項６に記載の省電力設定方法において、
前記省電力設定は、前記省電力設定より優先する設定がある場合は、前記省電力設定に換えて前記優先する設定を行うことを特徴とする省電力設定方法。
【請求項１０】
請求項６に記載の省電力設定方法において、
前記省電力設定は、前記省電力設定を複数受信した場合は、最後に受信した省電力設定を行うことを特徴とする省電力設定方法。
【発明の詳細な説明】
【技術分野】
【０００１】
本発明は、ネットワークに接続された機器の省電力設定技術に係り、特にネットワークを介して受信した省電力設定を適用することが可能な電子機器および省電力設定方法に関する。
【背景技術】
【０００２】
一般的に、テレビジョン等の電子機器においては、所定時間経過すると、自動的に電源をオフするオートパワーオフ機能を備えているものが多い。例えば、特許文献１に示すように、機器単体でオートパワーオフを設定することにより、当該機器を一定時間後にオートパワーオフさせる技術が開示されている。
【特許文献１】特開平１１−１４６１０３号公報
【発明の開示】
【発明が解決しようとする課題】
【０００３】
しかしながら、特許文献１に記載された技術では、テレビジョン等の機器に接続されている別の機器を一定時間後にオートパワーオフさせるためには、別の機器に対して改めてオートパワーオフの設定を行う必要がある。
【０００４】
そこで、本発明は、１つの機器に対してオートパワーオフの設定を行うと、設定が行われた機器に接続された別の機器に対しても自動的にオートパワーオフの設定を行うことができる電子機器および省電力設定方法を提供することを目的とする。
【課題を解決するための手段】
【０００５】
上述した課題を解決するために、本発明の一態様によれば、ネットワークに接続する接続部と、前記ネットワークに接続された機器を省電力設定とする設定情報を受信する受信部と、前記受信部により受信された設定情報を前記接続部を介して前記ネットワークに送出する送出部と、前記ネットワークに接続された機器から前記ネットワークを介して設定情報を受信した場合、受信した設定情報に基づいて省電力設定を行う設定部とを具備することを特徴とする電子機器が提供される。
【０００６】
また、ネットワークに接続する接続部を備えた電子機器で用いられる省電力設定方法であって、前記ネットワークに接続された機器を省電力設定とする設定情報を生成し、前記生成された設定情報を前記接続部を介して前記ネットワークに送出し、前記ネットワークに接続された機器から前記ネットワークを介して設定情報を受信した場合、受信した設定情報に基づいて省電力設定を行うことを特徴とする省電力設定方法を提供する。
【発明を実施するための最良の形態】
【０００７】
以下、本発明の実施形態について図面を参照しながら説明する。
【０００８】
まず、図１および図２を参照して、本発明の一実施形態に係る電子機器が接続されたネットワークの構成について説明する。この電子機器は、例えば、テレビジョン（テレビ）１２、ＡＶアンプ１３、ＨＤＤレコーダ１０、パーソナルコンピュータ（パソコン）１１として実現されている。
【０００９】
図１はテレビジョン（テレビ）１２、ＡＶアンプ１３、ＨＤＤレコーダ１０、パーソナルコンピュータ（パソコン）１１がネットワーク（例えば家庭内ＬＡＮ等）に接続された状態を示した概念図である。ネットワークに接続されたテレビジョン（テレビ）１２、ＡＶアンプ１３、ＨＤＤレコーダ１０、パーソナルコンピュータ（パソコン）１１は、それぞれの機器を操作するリモートコントロールユニット１２ａ、１３ａ、１０ａ、１１ａによって操作することが可能である。これらのリモートコントロールユニット１２ａ、１３ａ、１０ａ、１１ａからは、それぞれの機器に対して省電力設定信号を送信してそれぞれの機器に設定することができる。省電力設定信号は、例えば、オートパワーオフの設定信号やディスプレイの輝度を低くする設定信号等が挙げられる。省電力設定信号が設定された機器は、ネットワークを介して設定された省電力設定信号を送出する。ネットワークに接続されている機器は、送出された省電力設定信号を受信可能な状態であれば受信して省電力設定信号に基づいた送出された省電力設定を行う。
【００１０】
次に、図２を参照して、電子機器（例えばテレビジョン１２）２０のシステム構成について説明する。
【００１１】
電子機器２０は、図２に示されているように、制御部２１、リモコン受信部２２、ネットワーク接続部２３、表示部２４、記憶部２５を備えている。
【００１２】
制御部２１は、当該電子機器の各種コマンドの送受信や制御等を統括的に行う中央制御装置である。リモコン受信部２２は、リモートコントロールユニット１２ａ、１３ａ、１０ａ、１１ａからの省電力設定信号等を受信する受信部である。ネットワーク接続部２３は、上述したネットワーク（図１参照）に接続するためのインターフェースである。表示部２４は、各機器に備えられているディスプレイパネル、ＬＥＤ表示等である。記憶部２５は、受信した省電力設定信号等を記憶するフラッシュメモリ等の記憶装置である。
【００１３】
以上のような構成を用いて、本発明の実施形態の係る電子機器を適用した省電力設定方法について図３図４のフローチャートを参照して説明する。なお、本実施形態では、省電力設定信号を送出する電子機器２０を例えばテレビジョン１２として説明を行う。
【００１４】
電子機器２０（テレビジョン１２）の制御部２１は、リモートコントロールユニット１２ａ、１３ａ、１０ａ、１１ａからの省電力設定信号等を受信すると（ステップＳ１０１）、受信した省電力設定信号等をネットワークへ送出する（ステップＳ１０２）。このネットワークへの送出は、例えば、ＨＤＭＩ−ＣＥＣ（High-Definition Multimedia Interface - Consumer Electronics Control）でのブロードキャストコマンドとして送出する。ブロードキャストコマンドは、ネットワークに接続されているすべての機器が受信可能なコマンドとして送出される。また、ブロードキャストコマンドは、送出後に受信できる機器が受信を行い、受信を行った返答のコマンドは受け取らない。また、電源が入っていない等で受信できなかった機器が存在する場合にも特に受信できなかった旨のコマンドも受け取らないため、省電力設定信号の再送も行わない。このようなブロードキャストコマンドを用いることにより、厳密に設定されたネットワークを構築することなく、手軽で容易にネットワークに接続された機器に対して省電力設定信号を送出することができる。
【００１５】
さらに、省電力設定信号をネットワークに送出したテレビジョン１２は、テレビジョン１２の表示部（ディスプレイ部）２４に省電力設定信号が設定された旨の表示を行う（ステップＳ１０３）。例えば、省電力設定信号としてオートパワーオフが設定された場合は、「オートパワーオフ６０分」等というような表示を行う。
【００１６】
そして、オートパワーオフの設定時間、例えば６０分が経過した場合は（ステップＳ１０４のＹＥＳ）、その他のオートパワーオフを妨げる要因が無いかをチェックする（ステップＳ１０５）。その他のオートパワーオフを妨げる要因があると判別された場合は、例えば、ユーザによってテレビジョン１２の操作が行われた場合等には、オートパワーオフの省電力設定は適用されない。
【００１７】
一方、ステップＳ１０５で、その他のオートパワーオフを妨げる要因がないと判別された場合は、オートパワーオフを行い自動的にテレビジョン１２の電源をオフする（ステップＳ１０６）。
【００１８】
次に、省電力設定信号を送出した機器（テレビジョン１２）以外のネットワークに接続されている機器（ＡＶアンプ１３、ＨＤＤレコーダ１０、パーソナルコンピュータ１１）の動作について図４のフローチャートを参照して説明する。
【００１９】
省電力設定信号を送出した機器（テレビジョン１２）以外のネットワークに接続されている機器（ＡＶアンプ１３、ＨＤＤレコーダ１０、パーソナルコンピュータ１１）は、ネットワークを介して省電力設定信号、例えばオートパワーオフの設定信号を受信する（ステップＳ２０１）。受信した機器、例えばＨＤＤレコーダ１０は、オートパワーオフの設定が許可されているか否かを判別する（ステップＳ２０２）。ＨＤＤレコーダ１０により、オートパワーオフの設定が許可されていないと判別されると（ステップＳ２０２のＮＯ）、例えば、オートパワーオフの設定を許可しない設定が予めされている等の場合には、その旨の表示（「オートパワーオフを許可しない設定となっています」等）を行い、省電力設定を行わない。
【００２０】
一方、ＨＤＤレコーダ１０により、オートパワーオフの設定が許可されていると判別されると（ステップＳ２０２のＹＥＳ）、所定時間、例えばオートパワーオフの設定時間である６０分が経過すると（ステップＳ２０４のＹＥＳ）、その他のオートパワーオフを妨げる要因が無いかをチェックする（ステップＳ２０５）。その他のオートパワーオフを妨げる要因があると判別された場合は、例えば、録画設定予約等がある場合（ステップＳ２０５のＹＥＳ）は、省電力設定を行わない。
【００２１】
一方、その他のオートパワーオフを妨げる要因がないと判別された場合（ステップＳ２０５のＮＯ）は、オートパワーオフを行い自動的にＨＤＤレコーダ１０の電源をオフする（ステップＳ２０６）。なお、上述した実施形態では、ブロードキャストコマンドとして例えば、ＨＤＭＩ−ＣＥＣを用いたがこれに限定されるものではなく、ブロードキャストコマンドであればよい。
【００２２】
上述した実施形態によれば、ブロードキャストコマンドを用いて各機器に省電力設定情報を送出することにより、ネットワークに接続された機器に対して容易に省電力設定を連動させて適用させることができる。
【００２３】
なお、本発明は、上述した実施形態そのままに限定されるものではない。本発明は、実施段階では、その要旨を逸脱しない範囲で構成要素を変更して具現化できる。
【００２４】
また、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００２５】
【図１】本発明の一実施形態に係る電子機器の構成例を示す概念図。
【図２】本発明の一実施形態に係る電子機器の構成を示すブロック図。
【図３】本発明の一実施形態に係る電子機器を適用した省電力設定方法について示したフローチャート。
【図４】本発明の一実施形態に係る電子機器を適用した省電力設定方法について示したフローチャート。
【符号の説明】
【００２６】
１０…ＨＤＤレコーダ、１１…パーソナルコンピュータ、１２…テレビジョン、１３…ＡＶアンプ、２０…制御部、２１…表示部、２２…リモコン受信部、２３…ネットワーク接続部
【図１】
2009157840.tif 000003
【図２】
2009157840.tif 000004
【図３】
2009157840.tif 000005
【図４】
2009157840.tif 000006